(57)【要約】  情報がホワイトスペースを介してホストデバイスから受信デバイスに通信される。ホワイトスペースデバイスがホストデバイスとインターフェースされる。ホワイトスペースデバイスは、ホストデバイスからマルチメディアコンテンツを受信するためにホストデバイスと通信可能にインターフェースするように構成された少なくとも１つのポートを有する。ホワイトスペースデバイスはまた、ホストデバイスから受信されたマルチメディアコンテンツの少なくとも一部分を含んでいるトランスポートストリームを符号化するように構成されたテレビジョンバンドエンジンをオプションとして有する。送信機が、ホワイトスペースを介してトランスポートストリームを送信するように構成される。
2013518471.tif 000002
【特許請求の範囲】
【請求項１】
ホストデバイスからマルチメディアデータを受信するために前記ホストデバイスと通信可能にインターフェースするための少なくとも１つのポートと、
前記受信されたデータの少なくとも一部分を、ホワイトスペースを介してワイヤレス出力するための送信機と
を備える、ホワイトスペースデバイス。
【請求項２】
前記マルチメディアデータを、送信する前に符号化するように構成されたテレビジョンバンドエンジンをさらに備える、請求項１に記載のデバイス。
【請求項３】
前記少なくとも１つのポートが、周辺コンポーネント相互接続エクスプレス（ＰＣＩｅ）ポートと、デジタル・ビジュアル・インターフェース（ＤＶＩ）ポートと、デジタルオーディオポートと、高精細度マルチメディア・インターフェース（ＨＤＭＩ）ポートと、ビデオ・グラフィックス・アレイ（ＶＧＡ）ポートと、ユニバーサル・シリアル・バス（ＵＳＢ）ポートとのうちの少なくとも１つを備える、請求項１に記載のデバイス。
【請求項４】
前記少なくとも１つのポートが、
周辺コンポーネント相互接続エクスプレス（ＰＣＩｅ）ポートと、
ユニバーサル・シリアル・バス（ＵＳＢ）ポートと
を備える、請求項１に記載のデバイス。
【請求項５】
前記少なくとも１つのポートが、
デジタル・ビジュアル・インターフェース（ＤＶＩ）ポートと、
ユニバーサル・シリアル・バス（ＵＳＢ）ポートと
を備える、請求項１に記載のデバイス。
【請求項６】
前記少なくとも１つのポートが、
高精細度マルチメディア・インターフェース（ＨＤＭＩ）ポートと、
ユニバーサル・シリアル・バス（ＵＳＢ）ポートと
を備える、請求項１に記載のデバイス。
【請求項７】
前記少なくとも１つのポートが、
ビデオ・グラフィックス・アレイ（ＶＧＡ）ポートと、
ユニバーサル・シリアル・バス（ＵＳＢ）ポートと
を備える、請求項１に記載のデバイス。
【請求項８】
前記少なくとも１つのポートが、
デジタル・ビジュアル・インターフェース（ＤＶＩ）ポートと、
デジタルオーディオポートと、
ユニバーサル・シリアル・バス（ＵＳＢ）ポートと
を備える、請求項１に記載のデバイス。
【請求項９】
前記少なくとも１つのポートが、
ビデオ・グラフィックス・アレイ（ＶＧＡ）ポートと、
デジタルオーディオポートと、
ユニバーサル・シリアル・バス（ＵＳＢ）ポートと
を備える、請求項１に記載のデバイス。
【請求項１０】
前記少なくとも１つのポートが、前記ホストデバイスから電力を受信するために前記ホストデバイスと通信可能にインターフェースする、請求項１に記載のデバイス。
【請求項１１】
前記少なくとも１つのポートが、前記ホストデバイスから制御信号を受信するために前記ホストデバイスと通信可能にインターフェースする、請求項１に記載のデバイス。
【請求項１２】
前記テレビジョンバンドエンジンが、
前記受信されたデータの前記少なくとも一部分を、前記ホワイトスペースを介してワイヤレス出力するように構成された先進型テレビジョン方式委員会（Ａｄｖａｎｃｅｄ  Ｔｅｌｅｖｉｓｉｏｎ  Ｓｙｓｔｅｍｓ  Ｃｏｍｍｉｔｔｅｅ）（ＡＴＳＣ）エンジン
を備える請求項２に記載のデバイス。
【請求項１３】
少なくとも１つのポートを介して、ホワイトスペースデバイスをホストデバイスと通信可能にインターフェースすることと、
前記ホワイトスペースデバイスによって、前記少なくとも１つのポートを介して前記ホストデバイスからマルチメディアデータを受信することと、
前記ホワイトスペースデバイスによって、ホワイトスペースを介して前記データの少なくとも一部分をワイヤレス出力することと
を備える方法。
【請求項１４】
前記マルチメディアデータを符号化することをさらに備える、請求項１３に記載の方法。
【請求項１５】
前記符号化することが、
前記ホワイトスペースデバイスによって、前記受信されたデータの前記少なくとも一部分を含んでいるＭＰＥＧ−２トランスポートストリームを符号化すること
を備える、請求項１４に記載の方法。
【請求項１６】
前記符号化することが、
前記ホワイトスペースデバイスによって、前記受信されたデータの前記少なくとも一部分を含んでいるリアルタイムトランスポートプロトコル（ＲＴＰ）トランスポートストリームとトランスポート制御プロトコル（ＴＣＰ）ストリームとのうちの１つを符号化すること
を備える、請求項１４に記載の方法。
【請求項１７】
ホストデバイスと通信可能にインターフェースするための手段と、
前記インターフェース手段を介して、前記ホストデバイスからマルチメディアコンテンツを受信するための手段と、
ホワイトスペースを介して前記受信されたコンテンツの少なくとも一部分をワイヤレス出力するための手段と
を備えるホワイトスペース通信システム。
【請求項１８】
ワイヤレス出力するための前記手段が、
前記ホストデバイスから受信された前記コンテンツの少なくとも一部分を含んでいるトランスポートストリームを符号化するための手段と、
ホワイトスペースを介して前記トランスポートストリームをワイヤレス送信するための手段と
を備える、請求項１７に記載のシステム。
【請求項１９】
前記インターフェース手段が、周辺コンポーネント相互接続エクスプレス（ＰＣＩｅ）ポートと、デジタル・ビジュアル・インターフェース（ＤＶＩ）ポートと、デジタルオーディオポートと、高精細度マルチメディア・インターフェース（ＨＤＭＩ）ポートと、ビデオ・グラフィックス・アレイ（ＶＧＡ）ポートと、ユニバーサル・シリアル・バス（ＵＳＢ）ポートとのうちの少なくとも１つを備える、請求項１７に記載のシステム。
【請求項２０】
前記インターフェース手段が、
周辺コンポーネント相互接続エクスプレス（ＰＣＩｅ）ポートと、
ユニバーサル・シリアル・バス（ＵＳＢ）ポートと
を備える、請求項１７に記載のシステム。
【請求項２１】
前記インターフェース手段が、
デジタル・ビジュアル・インターフェース（ＤＶＩ）ポートと、
ユニバーサル・シリアル・バス（ＵＳＢ）ポートと
を備える、請求項１７に記載のシステム。
【請求項２２】
前記インターフェース手段が、
高精細度マルチメディア・インターフェース（ＨＤＭＩ）ポートと、
ユニバーサル・シリアル・バス（ＵＳＢ）ポートと
を備える、請求項１７に記載のシステム。
【請求項２３】
前記インターフェース手段が、
ビデオ・グラフィックス・アレイ（ＶＧＡ）ポートと、
ユニバーサル・シリアル・バス（ＵＳＢ）ポートと
を備える、請求項１７に記載のシステム。
【発明の詳細な説明】
【技術分野】
【０００１】
関連出願の相互参照
本出願は、開示の全体が参照により本明細書に明確に組み込まれる、１）２０１０年１月２１日に出願された米国仮特許出願第６１／２９７，１６６号、および２）２０１０年３月２日に出願された米国仮特許出願第６１／３０９，５４７号の利益を主張する。
【０００２】
本開示は、概して、ホワイトスペースを介したホストデバイスから受信デバイスへの情報の通信に関し、より詳細には、ホワイトスペースデバイスをホストデバイスとインターフェースすることに関する。
【背景技術】
【０００３】
米国連邦通信委員会（ＦＣＣ）は、（無線およびテレビジョン（ＴＶ）ブロードキャストを含む）無線スペクトルのすべての非連邦政府使用と、すべての州間電気通信（ワイヤ、衛星およびケーブル）ならびに米国において開始または終了するすべての国際通信とを規制することを担当する米国政府の独立した機関である。２００８年に、ＦＣＣは、未使用のＴＶチャネル（すなわち、ホワイトスペース）における無免許の（unlicensed）信号操作を承認するルールを発行した。ただし、この承認された無免許の使用は、ＴＶバンド（TV band）の１次ユーザのために適切に設定された保護の対象となる。ＴＶバンドの１次ユーザは、ＴＶブロードキャスターおよび免許を受けている（licensed）ワイヤレスマイクロフォンなど、ＡＴＳＣ／全米テレビジョン放送方式標準化委員会 (National Television System Committee)（ＮＴＳＣ）送信機である。ワイヤレス技術および任意の生じた信号送信が既存の１次ユーザと干渉しない限り、新しいルールは、ワイヤレス技術がホワイトスペースを使用することを可能にする。したがって、他の信号を検出するために周期的感知が必要とされる。本開示では、このホワイトスペースにアクセスするためにそのような技術を利用する様々なデバイスは、「ホワイトスペースデバイス」、「無免許のデバイス（unlicensed device）」などと呼ばれる。
【０００４】
テレビジョン（ＴＶ）および他のモニタにコンテンツをワイヤレス配信することが望ましい。一例として、いくつかの事例では、ＴＶデバイス上に出力するためにユーザデバイスからコンテンツを配信させることが望ましいことがある。たとえば、多くのＴＶデバイス出力能力と比較して、携帯電話、個人情報端末（ＰＤＡ）、メディアプレーヤデバイス（たとえば、Ａｐｐｌｅ  ｉＰＯＤデバイス、他のＭＰ３プレーヤデバイスなど）、ラップトップコンピュータ、ノートブックコンピュータなど、多くのポータブルユーザデバイスは、小さいディスプレイサイズなど、出力能力が限定／制約されている。ビデオコンテンツがＴＶデバイス上の出力のために配信された場合、たとえば、ポータブルユーザデバイス上でビデオを閲覧することを望んでいるユーザは、改善されたマルチメディア体験（multimedia experience）を獲得し得る。したがって、いくつかの事例では、ユーザは、コンテンツの受信（たとえば、閲覧および／または聴取）におけるマルチメディア体験を改善するために、ＡＴＳＣチューナーをもつモニタ（たとえば、ＨＤＴＶデバイス）上に出力することを目的としてコンテンツをユーザデバイスからホワイトスペース上で配信することを望み得る。しかしながら、ホワイトスペース上でのテレビジョンデバイスへの送信は、マルチメディア体験と干渉するであろう感知を必要とする。
【発明の概要】
【０００５】
本開示は、概して、ホワイトスペースを介した、ホストデバイスから受信デバイスへの情報の通信に関し、より詳細には、ホワイトスペースデバイスをホストデバイスとインターフェースするためのシステムおよび方法に関する。一実施形態では、ホワイトスペースデバイスは、ホストデバイスからマルチメディアコンテンツを受信するためにホストデバイスと通信可能にインターフェースするように構成された少なくとも１つのポートを有する。ホワイトスペースデバイスはまた、ホワイトスペースを介して受信されたデータの少なくとも一部分をワイヤレス送信するように構成された送信機を有する。
【０００６】
例示的な一実装形態では、ポートはＰＣＩｅポートおよびＵＳＢポートである。別の例示的な実装形態では、ポートはＤＶＩポートおよびＵＳＢポートである。別の例示的な実装形態では、ポートはＨＤＭＩポートおよびＵＳＢポートである。別の例示的な実装形態では、ポートはＶＧＡポートおよびＵＳＢポートである。
【０００７】
一態様では、方法が、少なくとも１つのポートを介して、ホワイトスペースデバイスをホストデバイスと通信可能にインターフェースすることを含む。本方法はまた、ホワイトスペースデバイスによって、少なくとも１つのポートを介してホストデバイスからマルチメディアデータを受信することを含む。本方法は、ホワイトスペースデバイスによって、ホワイトスペースを介してマルチメディアデータの少なくとも一部分をワイヤレス出力することをさらに含む。
【０００８】
さらに別の態様では、ホワイトスペース通信システムが、ホストデバイスと通信可能にインターフェースするための手段を有する。本システムはまた、インターフェース手段を介して、ホストデバイスからマルチメディアコンテンツを受信するための手段と、ホワイトスペースを介して受信されたコンテンツの少なくとも一部分をワイヤレス出力するための手段とを有する。
【０００９】
本開示のより完全な理解のために、次に添付の図面とともに行う以下の説明を参照する。
【図面の簡単な説明】
【００１０】
【図１】本開示の実施形態が実装され得る例示的なシステムの図。
【図２】本開示の一態様による例示的な動作フローを示す図。
【図３】本開示の一実施形態による、ホワイトスペースデバイスがＰＣＩｅおよび／またはＵＳＢ接続を介してホストデバイスとインターフェースする例示的なシステムの図。
【図４】本開示の一実施形態による、ホワイトスペースデバイスがＤＶＩ、デジタルオーディオ、および／またはＵＳＢ接続を介してホストデバイスとインターフェースする例示的なシステムの図。
【図５】本開示の一実施形態による、ホワイトスペースデバイスがＨＤＭＩおよび／またはＵＳＢ接続を介してホストデバイスとインターフェースする例示的なシステムの図。
【図６】本開示の一実施形態による、ホワイトスペースデバイスがＶＧＡ、デジタルオーディオ、および／またはＵＳＢ接続を介してホストデバイスとインターフェースする例示的なシステムの図。
【詳細な説明】
【００１１】
ホワイトスペースデバイスは、概して、テレビジョンバンドにおける未使用のスペクトル上で通信する無免許のワイヤレストランシーバを指す。これらのデバイスは、概して、これらのデバイスが、最初に、免許を受けている１次ユーザからの既存のホワイトスペース信号（たとえば、先進型テレビジョン方式委員会（Advanced Television Systems Committee）（ＡＴＳＣ）、全米テレビジョン放送方式標準化委員会（National Television System Committee）（ＮＴＳＣ）、およびいくつかのワイヤレスマイクロフォンプロトコル）を検出するために走査し、次いで、免許を受けている信号との干渉を回避するために未使用のチャネルを選択するコグニティブ（cognitive）方式で動作する。
【００１２】
ホワイトスペースデバイスは、ユーザデバイスに通信可能に結合されるか、またはユーザデバイス内に組み込まれ得る、したがってホワイトスペースデバイスは、ユーザデバイスからＴＶ受信機デバイス（たとえば、ＨＤＴＶデバイス）に情報（たとえば、マルチメディアコンテンツ）をホワイトスペース上で配信し得る。ホワイトスペースデバイスの例示的な実装形態については、本明細書でさらに説明する。ただし、そのようなホワイトスペースデバイスの様々な実装形態が可能であり、ホワイトスペース上でユーザデバイスからの情報を配信するように動作可能なホワイトスペースデバイスのいかなる実装形態も本開示の範囲内である。
【００１３】
図１は、本開示の実施形態が実装され得る例示的なシステム１００の図である。システム１００は、「ホスト」デバイスと呼ばれることがある、例示的なユーザデバイス１０１を含む。ユーザデバイス１０１の例示的な実装形態を図１にブロック図の形態で示す。図示の例ではユーザデバイス１０１はモバイルデバイスとして示されているが、他の実施形態ではユーザデバイス１０１はモバイルデバイスである必要はない。例示的なユーザデバイス１０１は、概して、メディアプロセッサ１０４、ディスプレイプロセッサ１０５、および／またはオーディオ出力プロセッサ１０６など、１つまたは複数のプロセッサを含み、ユーザデバイス１０１は、埋込みディスプレイ１０７および埋込みスピーカー１０８など、埋込み入出力デバイスを有し得る。もちろん、ユーザデバイス１０１は、所与の実装形態では別様に構成されてもよく（たとえば、図１に示すものとは異なる機能ブロック、および／または追加の機能ブロックを含み）、いかなるそのような実装形態も本開示の範囲内である。
【００１４】
ユーザデバイス１０１は、概して、埋込み出力デバイス（たとえば、埋込みディスプレイ１０７およびスピーカー１０８）を介して出力され得るコンテンツを生成するように動作可能である。ユーザデバイス上に出力される様々なタイプのコンテンツは当技術分野でよく知られており、いかなるそのようなコンテンツも所与のアプリケーションにおいてユーザデバイス１０１上に出力され得る。たとえば、マルチメディアコンテンツ（たとえば、ムービーなど）を出力するためにユーザデバイス１０１上でマルチメディアプレーヤアプリケーションが実行していることがある。もちろん、テキストコンテンツおよび／または他のグラフィカル／画像および／またはオーディオコンテンツ（たとえば、電子メールコンテンツ、ウェブブラウジングコンテンツ、ビデオゲームコンテンツ、ワードプロセシングコンテンツなど）など、他のコンテンツは、ユーザがユーザデバイス１０１を介して対話する所与のアプリケーションにおいて出力され得る。
【００１５】
ユーザは、ポインタデバイス（たとえば、マウス）、ジョイスティック、キーボード、タッチスクリーンインターフェース、マイクロフォンなど、１つまたは複数のヒューマンインターフェース入力デバイス（図１に図示せず）を介して、（たとえば、その上で実行しているアプリケーションと対話するために）ユーザデバイス１０１に情報を入力していることがある。いくつかの事例では、そのようなユーザ入力情報により、何らかの出力が生成または変更されることになり得る。たとえば、ユーザのマウス移動の入力は、ユーザデバイス１０１の埋込みディスプレイ１０７上の対応するポインタの移動を生じ得る。
【００１６】
例示的なシステム１００中にはホワイトスペースデバイス１０２も含まれており、その例示的な実装形態を図１にブロック図の形態で示す。ホワイトスペースデバイス１０２は、そのようなユーザデバイス１０１から情報を受信するためにユーザデバイス１０１に通信可能に結合される。一実施形態では、ホワイトスペースデバイス１０２は、「ドングル（dongle）」と呼ばれることがある、ユーザデバイス１０１に通信可能に結合された別個のデバイスである。ホワイトスペースデバイス１０２は、ＵＳＢ接続を介して、ＰＣＩｅインターフェースを介して、または、本明細書でさらに説明するホワイトスペースデバイス１０２によってユーザデバイス１０１から情報がキャプチャ（capture）されることを可能にする任意の好適な方法で結合され得る。たとえば、ホワイトスペースデバイス１０２は、任意の好適なタイプのワイヤード接続を介して、またはワイヤレスＵＳＢ（ＷＵＳＢ）、ブルートゥース（登録商標）（Bluetooth（登録商標））、８０２．１１など、ワイヤレス通信接続を介してユーザデバイス１０１に通信可能に結合され得る。
【００１７】
ホワイトスペースデバイス１０２はユーザデバイス１０１から情報をキャプチャする。たとえば、図１に示すように、キャプチャされた情報は、「ビデオ出力」１２６および／または「オーディオ出力」１２７など、出力デバイスを介して出力されるべきコンテンツを含む。本明細書でさらに説明するように、いくつかの実施形態では、「ヒューマンインターフェースデバイス」（ＨＩＤ）データ、たとえば、ユーザ入力コマンド（たとえば、マウス移動、ジョイスティック移動、キーボード入力、および／または（１つまたは複数の）ヒューマンインターフェースデバイスを介して受信された他のコマンド）など、他の情報もホワイトスペースデバイス１０２によってキャプチャされ得る。ホワイトスペースデバイス１０２は、たとえば、ユーザデバイス１０１からキャプチャされたコンテンツ（たとえば、マルチメディアコンテンツ）が、図１に示すＨＤＴＶ１０３などのＴＶデバイスによって受信され、出力されることを可能にするために、ユーザデバイス１０１からキャプチャされた情報を、送信機１１６によってワイヤレス通信１２３上でホワイトスペースを介してワイヤレス送信するように動作可能である。
【００１８】
図１の図示の例では、ホワイトスペースデバイス１０２は先進型テレビジョン方式委員会（Advanced Television Systems Committee）（ＡＴＳＣ）信号をホワイトスペースチャネル上で無線で送信し、それにより事実上テレビ局送信機として動作する。したがって、ブロック図の形態で示すように、図１の例示的なホワイトスペースデバイス１０２はＡＴＳＣベースバンドプロセッサおよび送信機１０９を含む。当技術分野で知られているように、ＡＴＳＣは、よく知られているＭＰＥＧ−２トランスポートストリーム（Transport Stream）（ＴＳ）に適合し、したがって、例示的なホワイトスペースデバイス１０２は、ユーザデバイス１０１からキャプチャされた情報を符号化するためのオーディオ／ビデオデコーダ１１１、たとえば、ＭＰＥＧ−２／ＡＣ−３を含む。符号化されたデータは、マルチプレクサ１５０を介してトランスポートエンコーダ１１２、たとえば、ＭＰＥＧ−２ＴＳエンコーダに送信される。その後、トランスポートストリームパケットが、ホワイトスペース１２３を介したワイヤレス送信のためにＲＦ送信システム１１３（および送信機（たとえば、アンテナ）１１６）に送られる。他の実施形態では、トランスポートストリームはリアルタイムトランスポートプロトコル（ＲＴＰ）トランスポートストリーム、またはトランスポート制御プロトコル（ＴＣＰ）ストリームである。
【００１９】
ＨＤＴＶ１０３は、それがＡＴＳＣ信号（たとえば、ＭＰＥＧ−２ＴＳ）を受信し、ＨＤＴＶデバイス１０３のディスプレイおよび／またはスピーカーに出力するために処理することができるように、埋込みワイヤレス受信機１２４とＡＴＳＣチューナー／受信機（たとえば、従来のテレビジョンチューナー）１２５とを含む。
【００２０】
図１の例示的なホワイトスペースデバイス１０２は、ホワイトスペースを感知するための（たとえば、ＴＶホワイトスペース内の信号を感知するための）ホワイトスペーススペクトルセンサ１２０を有する制御モジュール１１０をさらに含む。そのようなセンサ１２０は、利用可能なホワイトスペースを判断するために感知を周期的に実行する。ホワイトスペースデバイスの送信を、判断された利用可能なホワイトスペース内に維持する必要があるとき、周波数マネージャ論理１１８がチャネルを調整することができる。本明細書でさらに説明するように、送信機１１６を目立たずに静穏化するための実施形態が与えられ、実行されている感知の品質を改善するために、そのような静穏化中にセンサ１２０がそれの感知を実行することを可能にする。
【００２１】
もちろん、ＡＴＳＣは、ホワイトスペースデバイス１０２によって採用され得るテレビジョン伝送規格セットの一例にすぎず、他の実施形態では、ホワイトスペース上でメディアコンテンツを送信するために、ＡＴＳＣ規格、デジタルビデオブロードキャスティング（Digital Video Broadcasting）（ＤＶＢ）規格、統合デジタル放送サービス（Integrated Services Digital Broadcasting）（ＩＳＤＢ）規格、デジタルマルチメディア放送（Digital Multimedia Broadcast）（ＤＭＢ）規格など、様々なテレビジョン規格のいずれかが採用され得る。
【００２２】
上述のように、図１の例示的なホワイトスペースデバイス１０２は、ユーザデバイス１０１からキャプチャされた情報を、ＡＴＳＣに適合し、したがってＨＤＴＶ１０３のＡＴＳＣ受信機／チューナー１２５によって受信され、処理され得る、送信のためのトランスポートストリーム（たとえば、ＭＰＥＧ−２）に変換する。
【００２３】
ユーザデバイス１０１からキャプチャされた情報（たとえば、ＨＤＭＩ、ＤＰ、ＶＧＡなど）を、ＡＴＳＣホワイトスペースを介して送信するためのＭＰＥＧ−２トランスポートストリームに変換するための例示的なデータフローを図２に示す。
【００２４】
本開示の実施形態によれば、ホワイトスペースを介してホストデバイス１０１からの情報のワイヤレス出力を可能にするために、ホワイトスペースデバイス１０２をホストデバイス１０１とインターフェースするための様々な異なるインターフェースのいずれかが採用され得る。たとえば、いくつかの実施形態によれば、ホストデバイス１０１とインターフェースするために、（たとえば、ホワイトスペースデバイス１０２のフロントエンドキャプチャ部分の一部として）インターフェースコンポーネントまたはデバイスが実装され得る。上記で説明したように、ホワイトスペースデバイス１０２は、オーディオ、ディスプレイ、および／または他のデータを符号化するためのＴＶバンドエンジン（たとえば、ＡＴＳＣエンジン）と、ホストデバイス１０１からの符号化データを受信デバイス（たとえば、ＨＤＴＶ１０３）によって受信されるためにホワイトスペース上で送信するためのＲＦ集積回路を与え得る。ホストデバイス１０１とホワイトスペースデバイス１０２との間のインターフェースは、以下でさらに説明するように、ホストデバイスからホワイトスペースデバイス１０２へのコンテンツ（たとえば、マルチメディアコンテンツ）の通信を可能にし得る、次いで、ホワイトスペースデバイス１０２はホワイトスペースを介してそのようなコンテンツを通信することができる。さらに、いくつかの実施形態では、そのインターフェースは、ホストデバイス１０１とホワイトスペースデバイス１０２との間の制御信号および／または電力の通信をさらに可能にし得る。
【００２５】
たとえば、多くのポータブルマルチメディアデバイスの場合など、多くのホストデバイス１０１の限定されたユーザインターフェース機能（たとえば、限定されたディスプレイサイズなど）により、そのようなホストデバイス１０１から、ビデオ、オーディオ、および／または他のデータ（たとえば、制御信号）をＴＶデバイス（たとえば、ＨＤＴＶデバイス１０３）に出力することが望ましいことがある。多くのホストデバイス１０１は、情報をホワイトスペース上でワイヤレス出力するための機能をそれ自体含まない。したがって、ホワイトスペースデバイス１０２は、ＴＶバンドエンジン機能を獲得するためにホストデバイス１０１とインターフェースされ得る。
【００２６】
そのようなホワイトスペースデバイス１０２をホストデバイス１０１とインターフェースするための様々な異なる実装形態が可能であり、所与のホストデバイス１０１とともに使用するために選択された所望の実装形態は、少なくとも部分的に、所与のホストデバイス１０１上でネイティブに利用可能なインターフェースに依存し得る。さらに、いくつかの実施形態では、ホワイトスペースデバイス１０２は、ビデオ、オーディオ、および／または他のデータ（たとえば、制御信号など）などのデータのキャプチャを可能にするためだけでなく、ホストデバイス１０１からの電力の受信を可能にするためにも、ホストデバイス１０１に結合され得る。したがって、たとえば、いくつかの実施形態では、ホワイトスペースデバイス１０２はまた、ホストデバイス１０１からそれの電力の少なくとも一部分（たとえば、ホワイトスペースデバイス１０２の内部バッテリーを充電するための電力）を受信する。
【００２７】
次に図２を参照しながら、例示的なプロセスについて説明する。ブロック２００において、ホワイトスペースデバイスをホストデバイスと通信可能にインターフェースする。一実施形態では、インターフェースはポートを介して行う。別の実施形態では、ホワイトスペースモジュールが使用される。簡単のために、そのようなモジュールは、他の場所で説明する別個のモジュールではなく、ホストデバイス１０１内に埋め込まれている。
【００２８】
ブロック２０２において、ホワイトスペースデバイスは、少なくとも１つのポートを介してホストデバイスからマルチメディアデータを受信する。ブロック２０４において、データを、たとえばＭＰＥＧ−２トランスポートストリームに符号化する。ブロック２０６において、ホワイトスペースデバイスは、符号化データの少なくとも一部分を、ホワイトスペースを介してワイヤレス出力する。
【００２９】
本開示の実施形態による、様々な例示的なインターフェース実装形態について、図３〜図６に関して以下でさらに説明する。
【００３０】
ＰＣＩｅ／エクスプレスカード実装形態：
図３に、周辺コンポーネント相互接続エクスプレス（peripheral component interconnect express）（ＰＣＩｅ）インターフェース３０３を有するホストデバイス１０１を含む例示的なシステム３００を示す。ＰＣＩｅ／エクスプレスカードインターフェース３０１を介してホストデバイス１０１とインターフェースする、ＰＣＩエクスプレスカードとして実装されるホワイトスペースデバイス１０２の例示的な実装形態も示されている。すなわち、ホワイトスペースデバイス１０２のＰＣＩｅインターフェース３０１は、ホストデバイス１０１のＰＣＩｅインターフェース３０３に通信可能に結合する。図示のように、データ、（赤緑青（ＲＧＢ）フォーマットの）ビデオ、（パルス符号変調（ＰＣＭ）フォーマットの）オーディオ、および／または制御信号（たとえば、マウス移動などのヒューマンインターフェースデバイスコマンドなど）など、様々な情報が、ホワイトスペースデバイス１０２によってＰＣＩｅインターフェース３０１／３０３を介してホストデバイス１０１からキャプチャされ得る。ホワイトスペースデバイス１０２によってＰＣＩｅインターフェース３０１／３０３を介してホストデバイス１０１から電力も引き出され得る。たとえば、例示的な一実装形態では、ＰＣＩｅインターフェースを介して３．３Ｗの電力が引き出される。
【００３１】
この例では、ユニバーサル・シリアル・バス（ＵＳＢ）インターフェースも実装され、ＰＣＩｅインターフェース３０１／３０３を使用することに加えて、またはその代わりに、所与のホストデバイス１０１との結合において使用するために利用可能であり得る。たとえば、ホストデバイス１０１はまた、ＵＳＢインターフェース３０４を含めてもよく、ホワイトスペースデバイス１０２はまた、ホストデバイス１０１のＵＳＢインターフェース３０４と結合するためのＵＳＢインターフェース３０２を含むように実装され得る。ＵＳＢインターフェース３０２／３０４は、（たとえば、制御信号、オーディオ、および／または他のデータ通信など、情報の通信のための）帯域幅を増加させるために、および／またはホストデバイス１０１からの電力の引き出し（draw）を増加させるために、ホワイトスペースデバイス１０２をホストデバイス１０１に接続するためのＰＣＩｅ接続３０１／３０３とともに使用され得る。例示的な一実装形態では、ＵＳＢインターフェース３０２／３０４は、ホストデバイス１０１からキャプチャされた制御およびオーディオデータの通信のための帯域幅の増加を可能にし、ＵＳＢインターフェース３０２／３０４はまた、ホストデバイス１０１からの追加の電力の引き出しを可能にする。たとえば、例示的な一実装形態では、ＵＳＢインターフェース３０２／３０４を介して追加の１．１Ｗが引き出され、ＰＣＩｅインターフェース３０１／３０３を介して引き出される３．３Ｗの電力に追加されると、最高４．４Ｗの電力のサポートを可能になる。
【００３２】
インターネットを介してダウンロードされるか、（たとえば、ＰＣＩｅおよび／またはＵＳＢインターフェースを介して）ホワイトスペースデバイス１０２からロードされるか、またはそうではなく、ホストデバイス１０１上にインストールされ得るドライバ（たとえば、ソフトウェア）３０５が、ホストデバイス１０１上に実装される。ドライバ３０５は、生データ（raw data）がＰＣＭバッファ（および後続のオーディオ出力）とフレームバッファ（および後続の１次ディスプレイ）とに送られる前に、ホストデバイスプロセッサ（たとえば、ディスプレイプロセッサ１０５およびオーディオプロセッサ１０６）から生データ（たとえば、ビデオ、オーディオ、および／または制御信号）をインターセプトするようにホストデバイス１０１上で動作可能である。ドライバ３０５は、外部レンダリング（external rendering）のために（ＰＣＩｅおよび／またはＵＳＢインターフェースを介して）そのデータをホワイトスペースデバイス１０２に送る。ホワイトスペースデバイス１０２は、ホワイトスペース上で、（無線周波数（ＲＦ）集積回路（ＩＣ）３０８を介して）キャプチャされたデータをワイヤレス出力するためのトランスポートストリーム（たとえば、ＭＰＥＧ−２トランスポートストリーム）を符号化するために、キャプチャされたデータを処理するためのＴＶバンドエンジン（たとえば、この例ではＡＴＳＣエンジン３０７）を含むエンコーダを与える。したがって、ＡＴＳＣ受信機／チューナーを有するＴＶデバイス（たとえば、図１のＨＤＴＶ１０３）は、ＴＶデバイス上に出力するためのデータを受信することができる。
【００３３】
１つの例示的な実装形態では、ホワイトスペースデバイス１０２によってホストデバイス１０１から引き出された電力は、ホワイトスペースデバイス１０２の動作をサポートするために十分であり得る。たとえば、例示的な一実装形態では、ホワイトスペースデバイス１０２のＰＣＩｅエンドポイント／バス・マスタ（たとえば、ＰＬＸ）ブロック３０６の動作は約０．７５Ｗを必要とし、ホワイトスペースＡＴＳＣエンジン３０７は約０．５Ｗを必要とし、ＲＦ  ＩＣ送信機３０８は約０．２Ｗを必要とし得るので、合計約１．５５Ｗの電力が必要とされる。上述のように、ＰＣＩｅインターフェース３０１／３０３からの電力の引き出しは３．３Ｗであり得る、さらにＵＳＢインターフェース３０２／３０４から追加の１．１Ｗを引き出すときの電力の引き出しは４．４Ｗである。したがって、ホストデバイス１０１からの電力の引き出しは、いくつかの実装形態ではホワイトスペースデバイス１０２の動作に電力供給するために十分であり得る。もちろん、他の実装形態では、ホワイトスペースデバイス１０２は、内部バッテリー供給および／または充電ユニットなど、（１つまたは複数の）さらなる電源を必要とし得る。
【００３４】
ＤＶＩ／ＵＳＢ実装形態：
図４に、デジタル・ビジュアル・インターフェース（ＤＶＩ）インターフェース４０１とＵＳＢインターフェース４０２とを有するホストデバイス１０１含み、またデジタルオーディオインターフェース（ＤＡ）４０３を含む例示的なシステム４００を示す。ホワイトスペースデバイス１０２の例示的な実装形態も示されており、ホワイトスペースデバイス１０２は、ＤＶＩインターフェース４０４とＵＳＢインターフェース４０５とを介してホストデバイス１０１とインターフェースし、いくつかの事例では（たとえば、ホストデバイス１０１がＤＡインターフェース４０３を含むとき）、ＤＡインターフェース４０６を介して接続することもある。図示のように、ホワイトスペースデバイス１０２によってそれ等のインターフェースを介してホストデバイス１０１から様々な情報がキャプチャされ得る。たとえば、デジタルビデオはＤＶＩインターフェース４０１／４０４を介して送信され、デジタルオーディオはＤＡインターフェース４０３／４０６を介して送信され得る。さらに、データおよび／または制御信号（たとえば、マウス移動などのヒューマンインターフェースデバイスコマンドなど）など、様々な情報が、ＵＳＢインターフェース４０２／４０５を介してキャプチャされ得る。ＵＳＢインターフェース４０２／４０５は、（たとえば、制御信号、オーディオ、および／または他のデータ通信など、情報の通信のための）帯域幅を増加させるために、ホワイトスペースデバイス１０２をホストデバイス１０１と接続するためのＤＶＩインターフェース４０１／４０４および／またはＤＡインターフェース４０３／４０６とともに使用され得る。
【００３５】
図４のこの例示的な実装形態では、オーディオは、デジタルオーディオ（ＤＡ）ポートを介してキャプチャされるか、またはＰＣＭバッファから抽出されて、ＵＳＢインターフェース４０２／４０５を介してトランスポートされるかのいずれかであり得る。この例では、ビデオ出力はホストデバイス１０１のＤＶＩ送信デバイス４１２を介して行う。ＤＶＩ送信デバイス４１２は、ディスプレイプロセッサから生データをインターセプトし、ホストデバイス１０１からのネイティブビデオデータを、ＤＶＩサポートビデオフォーマットに準拠するように変更する。得られたデータは、モバイルデバイス（たとえば、スマートブック、スマートフォンなど）のＲＧＢデータ出力のグラフィカルデータ特性を反映しない。
【００３６】
ＤＶＩフォーマットデータは、ホワイトスペースデバイス１０２において受信され、ＲＧＢデータに変換される。そのような変換は、よく知られている特定用途向け集積回路（ＡＳＩＣ）４０８において行われ得る。同様に、受信されたデジタルオーディオは、よく知られている特定用途向け集積回路（ＡＳＩＣ）４０９を用いて集積チップ間音響（integrated interchip sound）（Ｉ2Ｓ）フォーマットに変換される。次いで、ホワイトスペースＡＴＳＣエンジン４１０は、変換されたデータを、ＲＦ  ＩＣ４１１によって処理してホワイトスペースを介してＴＶデバイス１０３に送信するために、たとえばＭＰＥＧ−２トランスポートストリームに符号化する。
【００３７】
ホワイトスペースデバイス１０２によってＵＳＢインターフェース４０２／４０５を介してホストデバイス１０１から電力も引き出され得る。たとえば、例示的な一実装形態では、ＵＳＢインターフェース４０２／４０５を介して１．１Ｗの電力が引き出される。
【００３８】
インターネットを介してダウンロードされるか、ホワイトスペースデバイス１０２から（たとえば、ＵＳＢインターフェース４０２／４０５を介して）ロードされるか、またはそうではなく、ホストデバイス１０１上にインストールされ得るドライバ（たとえば、ソフトウェア）４０７が、ホストデバイス１０１上に実装される。ドライバ４０７は、ある情報（certain information）をインターセプトし、ならびに／あるいは、ホストデバイスプロセッサおよび／またはバッファからのそのような情報（たとえば、オーディオおよび／または制御信号）の出力を管理／制御して、（（１つまたは複数の）インターフェースを介して）その情報をホワイトスペースデバイス１０２に送るようにホストデバイス１０１上で動作可能である。特に、ドライバ４０７は、ＰＣＭバッファからオーディオデータをキャプチャし、および／または制御信号（たとえば、ＨＩＤコマンドデータ）をキャプチャし、キャプチャされた情報を、ＵＳＢインターフェース４０２／４０５を介してホワイトスペースデバイス１０２に送るように実装され得る。別の実施形態では、オーディオは、ドライバ４０７を使用せずにデジタルオーディオポートから取り出される。
【００３９】
ホワイトスペースデバイス１０２は、ホワイトスペース上で、（ＲＦ  ＩＣ４１１を介して）キャプチャされたデータをワイヤレス出力するためのトランスポートストリーム（たとえば、ＭＰＥＧ−２トランスポートストリーム）を符号化するために、（ＤＶＩ、ＤＡ、および／またはＵＳＢインターフェースを介して受信された）キャプチャされたデータを処理するためのＴＶバンドエンジン（たとえば、この例ではＡＴＳＣエンジン４１０）を与える。したがって、ＡＴＳＣ受信機／チューナーを有するＴＶデバイス（たとえば、図１のＨＤＴＶ１０３）は、ＴＶデバイス上に出力するためのデータを受信することができる。
【００４０】
例示的な一実装形態では、ホワイトスペースデバイス１０２の動作に必要な電力の少なくとも一部分は（たとえば、ＵＳＢインターフェース４０２／４０５を介して）ホストデバイス１０１から引き出され得るが、もちろん、ホワイトスペースデバイス１０２のオンボードバッテリーおよび／または他の電力ソースを介して追加の電力が与えられ得る。たとえば、例示的な一実装形態では、ホワイトスペースデバイス１０２のＤＶＩ  ＲＧＢブリッジデバイス（DVI to RGB bridge device）４０８の動作は約１Ｗを必要とし、ホワイトスペースＡＴＳＣエンジン４１０は約０．５Ｗを必要とし、ＲＦ  ＩＣ４１１は約０．２Ｗを必要とし得る、したがって、合計約１．７Ｗの電力が必要とされる。上述のように、ＵＳＢインターフェース４０２／４０５からの電力の引き出しは１．１Ｗであり、したがって、ホワイトスペースデバイス１０２のこの例示的な実装形態の動作に必要な追加の電力は、ホワイトスペースデバイス１０２のオンボードバッテリー供給および／または充電ユニット（図４に図示せず）など、別の電力ソースから引き出され得る。別の実施形態では、たとえば、１秒当たりのフレーム数（ｆｐｓ）を３０ｆｐｓから２４ｆｐｓに低減する、または分解能を（たとえば、７２０ｐに）低減するなど、パフォーマンスを低減することによって電力消費が低減される。
【００４１】
ＨＤＭＩ／ＵＳＢ実装形態：
図５に、高精細度マルチメディア・インターフェース（ＨＤＭＩ）インターフェース５０１とＵＳＢインターフェース５０２とを有するホストデバイス１０１を含む例示的なシステム５００を示す。ＨＤＭＩインターフェース５０３とＵＳＢインターフェース５０４とを介してホストデバイス１０１とインターフェースするホワイトスペースデバイス１０２の例示的な実装形態も示されている。図示のように、ホワイトスペースデバイス１０２によってこれ等のインターフェースを介してホストデバイス１０１から様々な情報がキャプチャされ得る。たとえば、ＨＤＭＩインターフェース５０１／５０３を介してビデオおよび／またはオーディオがキャプチャされ得る。ＨＤＭＩは埋込みオーディオを与える。この例では、ビデオ出力はホストデバイス１０１のＨＤＭＩ送信デバイス５０９を介して行う。ＨＤＭＩ送信デバイスは、ディスプレイプロセッサ１０５およびオーディオプロセッサ１０６からデータを直接インターセプトし、ホストデバイス１０１からのネイティブデータを、ＨＤＭＩサポートフォーマットに準拠するように変更する。得られたデータは、モバイルデバイス（たとえば、スマートブック、スマートフォンなど）のＲＧＢデータ出力のグラフィカルデータ特性を反映しない。ＨＤＭＩ送信デバイス５０９は、（高精細度の場合）いくつかのホストデバイス上の高帯域デジタルコンテンツ保護（ＨＤＣＰ）を用いてすべてのデータを暗号化し得る、したがって、いくつかの実装形態ではホワイトスペースデバイス１０２上に対応する解読論理が実装され得る。
【００４２】
ＨＤＭＩフォーマットデータは、ホワイトスペースデバイス１０２中で受信され、ＲＧＢデータとＩ2Ｓとに変換される。そのような変換は、よく知られている特定用途向け集積回路（ＡＳＩＣ）５０６において行われ得る。ＡＳＩＣ５０６はまた、解読機能を含むことができる。次いで、ホワイトスペースＡＴＳＣエンジン５０７は、変換されたデータを、ＲＦ  ＩＣ５０８によって処理してホワイトスペースを介してＴＶデバイス１０３に送信するために、たとえばＭＰＥＧ−２トランスポートストリームに符号化する。
【００４３】
この例では、ＵＳＢインターフェース（５０２／５０４）も実装され、ＨＤＭＩインターフェース５０１／５０３に加えてホストデバイス１０１との結合において使用するために利用可能であり得る。ＵＳＢインターフェース５０２／５０４は、（たとえば、制御信号、オーディオ、および／または他のデータ通信など、情報の通信のための）帯域幅を増加させるために、および／またはホストデバイス１０１からの電力の取り出しを可能にするために、ホワイトスペースデバイス１０２をホストデバイス１０１に接続するためのＨＤＭＩ接続とともに使用され得る。図５のこの例示的な実装形態では、オーディオは、ＨＤＭＩポートを介してキャプチャされるか、または（ドライバ５０５を用いて）ＰＣＭバッファから抽出されて、ＵＳＢインターフェース５０２／５０４を介してトランスポートされるかのいずれかであり得る。
【００４４】
ホワイトスペースデバイス１０２によってＵＳＢインターフェース５０２／５０４を介してホストデバイス１０１から電力も引き出され得る。たとえば、例示的な一実装形態では、ＵＳＢインターフェース５０２／５０４を介して１．１Ｗの電力が引き出される。
【００４５】
インターネットを介してダウンロードされるか、ホワイトスペースデバイス１０２から（たとえば、ＵＳＢインターフェース５０２／５０４を介して）ロードされるか、またはそうではなく、ホストデバイス１０１上にインストールされ得るドライバ（たとえば、ソフトウェア）５０５が、ホストデバイス１０１上に実装される。ドライバ５０５は、ある情報をインターセプトし、ならびに／あるいはホストデバイスプロセッサおよび／またはバッファからのそのような情報（たとえば、オーディオおよび／または制御信号）の出力を管理／制御して、（（１つまたは複数の）インターフェースを介して）その情報をホワイトスペースデバイス１０２に送るようにホストデバイス１０１上で動作可能である。特に、ドライバ５０５は、ＰＣＭバッファからオーディオデータをキャプチャし、および／または制御信号（たとえば、ＨＩＤコマンドデータ）をキャプチャし、キャプチャされた情報を、ＵＳＢインターフェース５０２／５０４を介してホワイトスペースデバイス１０２に送るように実装され得る。ホワイトスペースデバイス１０２は、ホワイトスペース上で、（ＲＦ  ＩＣ５０８を介して）キャプチャされたデータをワイヤレス出力するためのトランスポートストリーム（たとえば、ＭＰＥＧ−２トランスポートストリーム）を符号化するために、（ＨＤＭＩおよび／またはＵＳＢインターフェースを介して受信された）キャプチャされたデータを処理するためのＴＶバンドエンジン（たとえば、この例ではＡＴＳＣエンジン５０７）を与える。したがって、ＡＴＳＣ受信機／チューナーを有するＴＶデバイス（たとえば、図１のＨＤＴＶ１０３）は、ＴＶデバイス上に出力するためのデータを受信することができる。
【００４６】
例示的な一実装形態では、ホワイトスペースデバイス１０２の動作に必要な電力の少なくとも一部分は（たとえば、ＵＳＢインターフェース５０２／５０４を介して）ホストデバイス１０１から引き出され得るが、もちろん、ホワイトスペースデバイス１０２のオンボードバッテリーおよび／または他の電力ソースを介して追加の電力が与えられ得る。たとえば、例示的な一実装形態では、ホワイトスペースデバイス１０２のＨＤＭＩ  ＲＧＢ送信デバイス（HDMI to RGB transmit device）５０６の動作は約２Ｗを必要とし、ホワイトスペースＡＴＳＣエンジン５０７は約０．５Ｗを必要とし、ＲＦ  ＩＣ５０８は約０．２Ｗを必要とし得る、したがって、合計約２．７Ｗの電力が必要とされる。上述のように、ＵＳＢインターフェース５０２／５０４からの電力の引き出しは１．１Ｗであり得る、したがって、ホワイトスペースデバイス１０２のこの例示的な実装形態の動作に必要な追加の電力は、ホワイトスペースデバイス１０２内に実装されたオンボードバッテリー供給および／または充電ユニット（図５に図示せず）など、別の電力ソースから引き出され得る。別の実施形態では、たとえば、１秒当たりのフレーム数（ｆｐｓ）を３０ｆｐｓから２４ｆｐｓに低減する、または分解能を（たとえば、７２０ｐに）低減するなど、パフォーマンスを低減することによって電力消費が低減される。
【００４７】
ＶＧＡ／ＵＳＢ実装形態：
図６に、ビデオ・グラフィックス・アレイ（ＶＧＡ）インターフェース６０１とＵＳＢインターフェース６０２とを有するホストデバイス６１を含み、デジタルオーディオインターフェース（ＤＡ）６０３をも含み得る例示的なシステム６００を示す。ホワイトスペースデバイス１０２の例示的な実装形態も示されており、ホワイトスペースデバイス１０２は、ＶＧＡインターフェース６０４とＵＳＢインターフェース６０５とを介してホストデバイス１０１とインターフェースし、いくつかの事例では（たとえば、ホストデバイス１０１がＤＡインターフェース６０３を含むとき）、ＤＡインターフェース６０６を介して接続することもある。図示のように、ホワイトスペースデバイス１０２によってこれ等のインターフェースを介してホストデバイス１０１から様々な情報がキャプチャされ得る。たとえば、ＶＧＡインターフェース６０１／６０４を介してビデオがキャプチャされ、ＤＡインターフェース６０３／６０６を介してデジタルオーディオがキャプチャされ得る。さらに、データおよび／または制御信号（たとえば、マウス移動などのヒューマンインターフェースデバイスコマンドなど）など、様々な情報が、ＵＳＢインターフェース６０２／６０５を介してキャプチャされ得る。ＵＳＢインターフェース６０２／６０５は、（たとえば、制御信号、オーディオおよび／または他のデータ通信など、情報の通信のための）帯域幅を増加させるために、ホワイトスペースデバイス１０２をホストデバイス１０１に接続するためのＶＧＡおよび／またはＤＡインターフェースとともに使用され得る。
【００４８】
ＶＧＡはアナログビデオであり、品質は、特にテキストの読みやすさに関して、デジタルアナログ変換（６０８）と後に続くアナログデジタル変換（６０９）によって影響を及ぼされ得る。図６のこの例示的な実装形態では、オーディオは、デジタルオーディオ（ＤＡ）ポートを介して（またはアナログオーディオポートを介して）キャプチャされるか、またはＰＣＭバッファから抽出され、ＵＳＢインターフェース６０２／６０５を介してトランスポートされるかのいずれかであり得る。
【００４９】
ホワイトスペースデバイス１０２によってＵＳＢインターフェース６０２／６０５を介してホストデバイス１０１から電力も引き出され得る。たとえば、例示的な一実装形態では、ＵＳＢインターフェース６０２／６０５を介して１．１Ｗの電力が引き出される。
【００５０】
ＶＧＡフォーマットされたデータは、ホワイトスペースデバイス１０２中で受信され、ＲＧＢデータに変換される。そのような変換は、よく知られている特定用途向け集積回路（ＡＳＩＣ）６１０において行われ得る。同様に、受信されたデジタルオーディオは、よく知られている特定用途向け集積回路（ＡＳＩＣ）６１１を用いて集積チップ間音響（Ｉ2Ｓ）フォーマットに変換される。次いで、ホワイトスペースＡＴＳＣエンジン６１２は、変換されたデータを、ＲＦ  ＩＣ６１３によって処理してホワイトスペースを介してＴＶデバイス１０３に送信するために、たとえばＭＰＥＧ−２トランスポートストリームに符号化する。
【００５１】
インターネットを介してダウンロードされるか、ホワイトスペースデバイス１０２から（たとえば、ＵＳＢインターフェース６０２／６０５を介して）ロードされるか、またはそうではなく、ホストデバイス１０１上にインストールされ得るドライバ（たとえば、ソフトウェア）６０７が、ホストデバイス１０１上に実装される。ドライバ６０７は、ある情報をインターセプトし、ならびに／あるいはホストデバイスプロセッサおよび／またはバッファからのそのような情報（たとえば、オーディオおよび／または制御信号）の出力を管理／制御して、（（１つまたは複数の）インターフェースを介して）その情報をホワイトスペースデバイス１０２に送るようにホストデバイス１０１上で動作可能である。特に、ドライバ６０７は、ＰＣＭバッファからオーディオデータをキャプチャし、および／または制御信号（たとえば、ＨＩＤコマンドデータ）をキャプチャして、キャプチャされた情報を、ＵＳＢインターフェース６０２／６０５を介してホワイトスペースデバイス１０２に送るように実装され得る。ホワイトスペースデバイス１０２は、ホワイトスペース上で、（ＲＦ  ＩＣ６１３を介して）キャプチャされたデータをワイヤレス出力するためのトランスポートストリーム（たとえば、ＭＰＥＧ−２トランスポートストリーム）を符号化するために、（ＶＧＡ、ＤＡおよび／またはＵＳＢインターフェースを介して受信された）キャプチャされたデータを処理するためのＴＶバンドエンジン（たとえば、この例ではＡＴＳＣエンジン６１２）を与える。したがって、ＡＴＳＣ受信機／チューナーを有するＴＶデバイス（たとえば、図１のＨＤＴＶ１０３）は、ＴＶデバイス上に出力するためのデータを受信することができる。
【００５２】
例示的な一実装形態では、ホワイトスペースデバイス１０２の動作に必要な電力の少なくとも一部分は（たとえば、ＵＳＢインターフェース６０２／６０５を介して）ホストデバイス１０１から引き出され得るが、もちろん、ホワイトスペースデバイス１０２のオンボードバッテリーおよび／または他の電力ソースを介して追加の電力が与えられ得る。たとえば、例示的な一実装形態では、ホワイトスペースデバイス１０２のＶＧＡ  ＲＧＢブリッジデバイス（VGA to RGB bridge device）６１０の動作は約１Ｗを必要とし、ホワイトスペースＡＴＳＣエンジン６１２は約０．５Ｗを必要とし、ＲＦ  ＩＣ６１３は約０．２Ｗを必要とし得る、したがって、合計約１．７Ｗの電力が必要とされる。上述のように、ＵＳＢインターフェース６０２／６０５からの電力の引き出しは１．１Ｗであり得る、したがって、ホワイトスペースデバイス１０２のこの例示的な実装形態の動作に必要な追加の電力は、ホワイトスペースデバイス１０２上に実装されたオンボードバッテリー供給および／または充電ユニット（図６に図示せず）など、別の電力ソースから引き出され得る。別の実施形態では、たとえば、１秒当たりのフレーム数（ｆｐｓ）を３０ｆｐｓから２４ｆｐｓに低減する、または分解能を（たとえば、７２０ｐに）低減するなど、パフォーマンスを低減することによって電力消費が低減される。
【００５３】
情報および信号は多種多様な技術および技法のいずれかを使用して表され得ることを、当業者は理解されよう。たとえば、上記の説明全体にわたって言及され得るデータ、命令、コマンド、情報、信号、ビット、シンボル、およびチップは、電圧、電流、電磁波、磁界または磁性粒子、光場または光学粒子、あるいはそれらの任意の組合せによって表され得る。
【００５４】
さらに、本明細書の開示に関連して説明した様々な例示的な論理ブロック、モジュール、回路、およびアルゴリズムステップは、電子ハードウェア、コンピュータソフトウェア、または両方の組合せとして実装され得ることを、当業者は認識されよう。ハードウェアとソフトウェアのこの互換性を明確に示すために、様々な例示的なコンポーネント、ブロック、モジュール、回路、およびステップを、上記では概してそれらの機能に関して説明した。そのような機能をハードウェアとして実装するか、ソフトウェアとして実装するかは、特定の適用例および全体的なシステムに課される設計制約に依存する。当業者は、説明した機能を特定の適用例ごとに様々な方法で実装し得るが、そのような実装の決定は、本開示の範囲からの逸脱を生じるものと解釈すべきではない。
【００５５】
本明細書の開示に関連して説明した様々な例示的な論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、個別ゲートまたはトランジスタロジック、個別ハードウェアコンポーネント、あるいは本明細書で説明した機能を実行するように設計されたそれらの任意の組合せを用いて実装または実行され得る。汎用プロセッサはマイクロプロセッサであり得るが、代替として、汎用プロセッサは、任意の従来のプロセッサ、コントローラ、マイクロコントローラ、または状態機械であり得る。プロセッサはまた、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、あるいは任意の他のそのような構成として実装され得る。
【００５６】
本明細書の開示に関して説明した方法またはアルゴリズムのステップは、直接ハードウェアで実施されるか、プロセッサによって実行されるソフトウェアモジュールで実施されるか、またはその２つの組合せで実施され得る。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭ、または当技術分野で知られている他の形態の記憶媒体に存在してよい。例示的な記憶媒体は、プロセッサが記憶媒体から情報を読むことができ、記憶媒体に情報を書き込むことができるようにプロセッサに結合される。代替として、記憶媒体はプロセッサに一体化され得る。プロセッサおよび記憶媒体はＡＳＩＣ中に常駐し得る。
【００５７】
１つまたは複数の例示的な設計では、説明した機能は、ハードウェア、ソフトウェア、ファームウェア、またはそれらの組合せで実装され得る。ソフトウェアで実装される場合、機能は、１つまたは複数の命令またはコードとしてコンピュータ可読媒体上に記憶されるか、あるいはコンピュータ可読媒体を介して送信され得る。コンピュータ可読媒体は、ある場所から別の場所へのコンピュータプログラムの転送を可能にする任意の媒体を含む通信媒体と、コンピュータ記憶媒体との両方を含む。記憶媒体は、汎用または専用コンピュータによってアクセスされ得る任意の利用可能な媒体であり得る。限定ではなく例として、そのようなコンピュータ可読媒体は、ＲＡＭ、ＲＯＭ、ＥＥＰＲＯＭ、ＣＤ−ＲＯＭ、または他の光ディスクストレージ、磁気ディスクストレージまたは他の磁気ストレージデバイス、あるいは命令またはデータ構造の形態の所望のプログラムコード手段を搬送または記憶するために使用され、および、汎用もしくは専用コンピュータまたは汎用もしくは専用プロセッサによってアクセスされ得る、任意の他の媒体を備えることができる。さらに、いかなる接続もコンピュータ可読媒体と適切に呼ばれる。たとえば、ソフトウェアが、同軸ケーブル、光ファイバケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバケーブル、ツイストペア、ＤＳＬ、または赤外線、無線、およびマイクロ波などのワイヤレス技術は、媒体の定義に含まれる。本明細書で使用するディスク（disk）およびディスク（disc）は、コンパクトディスク（disc）（ＣＤ）、レーザディスク（disc）、光ディスク（disc）、デジタル多用途ディスク（disc）（ＤＶＤ）、フロッピー（登録商標）ディスク（disk）およびブルーレイディスク（disc）を含み、ディスク（disk）は、通常、データを磁気的に再生し、ディスク（disc）は、データをレーザで光学的に再生する。上記の組合せもコンピュータ可読媒体の範囲内に含めるべきである。
【００５８】
本開示およびその利点について詳細に説明したが、添付の特許請求の範囲によって規定される本開示の技術から逸脱することなく様々な変更、置換および改変を本明細書で行うことができることを理解されたい。さらに、本出願の範囲は、本明細書で説明するプロセス、機械、製造、組成物、手段、方法およびステップの特定の実施形態に限定されるものではない。当業者なら本開示から容易に認識するように、本明細書で説明する対応する実施形態と実質的に同じ機能を実行するか、または実質的に同じ結果を達成する、現存するかまたは後で開発される、プロセス、機械、製造、組成物、手段、方法、またはステップは本開示に従って利用され得る。したがって、添付の特許請求の範囲は、それらの範囲内にそのようなプロセス、機械、製造、組成物、手段、方法、またはステップを含むものとする。
【図１】
2013518471.tif 000003
【図２】
2013518471.tif 000004
【図３】
2013518471.tif 000005
【図４】
2013518471.tif 000006
【図５】
2013518471.tif 000007
【図６】
2013518471.tif 000008
【国際調査報告】
2013518471.tif 000009
2013518471.tif 000010
2013518471.tif 000011